(57)【特許請求の範囲】
【請求項１】
箱体の開口部に取り付けられた扉を閉止、開放する扉閉止具であって、その前面側から背面側にわたって連通する収納部を形成し、扉を貫通した状態で取着されるケースと、このケースの収納部に配設され収納部の連通方向を中心軸として回動自在な操作体と、この操作体の回動操作に連動して箱体側に向けて突出、後退し扉を閉止、開放する鎖錠板とを備え、鎖錠板は、  突出位置と、後退位置との間で直線方向にスライド自在であり、
前記操作体は、収納部に配設されて鎖錠板を駆動する操作体本体と、この操作体本体の前面側に配設されて鎖錠板が突出位置にあるときに操作体の回動操作を防止する鍵の施錠孔を有した施錠部と、この施錠部の施錠孔に対応して鍵が挿通される挿通孔を有し施錠部を操作体本体との間で回動自在に保持する前面カバーとを有し、前記挿通孔は、施錠部が施錠位置及び解錠位置にある状態で鍵の先端が挿通孔に挿通可能とする大径部と、施錠部が施錠位置及び解錠位置以外の位置にある状態で鍵の先端が挿通孔に挿通不可能とする小径部とを有する形状に形成されていることを特徴とする扉閉止具。
【請求項２】
前記ケースに、収納部に連通し鎖錠板をスライド自在に保持する鎖錠板挿通口を形成するとともに、前記操作体の一部に係合歯を形成し、前記鎖錠板に、操作体の一部が挿通されるとともに前記係合歯が係合する係合受歯を有する操作体挿通孔が形成されていることを特徴とする請求項１記載の扉閉止具。
【請求項３】
前記ケースには、操作体の背面側端部に係合するがたつき防止部が形成されていることを特徴とする請求項２記載の扉閉止具。
【請求項４】
前記係合歯の歯の数と、係合受歯の受歯の数とが同一であることを特徴とする請求項２または３記載の扉閉止具。
【請求項５】
前記前面カバーに識別孔が形成されるとともに、前記施錠部に、識別孔に臨んで施錠部が施錠位置にあるときと解錠位置にあるときとを識別する識別表示が設けられていることを特徴とする請求項１乃至請求項４のいずれかに記載の扉閉止具。
【発明の詳細な説明】
【０００１】
【発明の属する技術分野】
本発明は、操作体の回動操作により、箱体の扉を閉止、開放することができる扉閉止具に関するものである。
【０００２】
【従来の技術】
分電盤などの箱体の扉１１０には、従来から、図１５に示す如く、扉１１０の表面から突出した操作体１０３を回動操作することにより、鎖錠板１０４を扉１１０から出没させて扉１１０を箱体に閉止、開放する扉閉止具１０１が用いられている。この従来の扉閉止具１０１にあっては、扉１１０に軸支された操作体１０３の基部に、鎖錠板１０４が固定されており、鎖錠板１０４は操作体１０３の回動操作に連動して、操作体１０３との固定部を中心に回動する。従って、鎖錠板１０４の先端は、前記固定部を中心とした円弧状の軌跡を描いてスライドすることにより、扉１１０の端面から出没する。
【０００３】
【発明が解決しようとする課題】
しかしながら、上記従来の技術においては、鎖錠板１０４の先端は、操作体１０３との固定部を中心に、円弧状の軌跡を描いてスライドするので、鎖状板１０４先端は、鎖錠板１０４の全長に略相当する比較的大きな半径の円運動をすることになる。そのため従来の扉閉止具１０１を、鉄板を折り曲げ形成して構成した扉１１０に取り付けた場合には、鎖錠板１０４を挿通するために細長状の鎖錠板挿通孔１１１を、扉の側板１１２に形成しなければならないが、従来の扉閉止具１０１にあっては、構造上この軌跡の半径が大きくなるために、鎖錠板挿通孔１１１の全長Ｌが長くなって、扉１１０全体の剛性が低下するおそれがあるうえ、外力により、鎖錠板挿通孔１１１の周辺が変形しやすくなるという問題があった。また、扉１１０が取り付けられる箱体の扉周囲にも、鎖錠板１０４が挿入されて扉１１０を閉止する閉止孔が形成されているが、この閉止孔も、同様に全長が長くなって箱体の扉周囲の剛性が低下する。そのため、扉１１０を閉止した際に、確実に閉止するためには、別途閉止孔の周囲の補強が必要となる場合があった。
【０００４】
本発明は、上記事由に鑑みてなしたもので、その目的とするところは、箱体の扉を閉止する扉閉止具において、扉を閉止、開放する鎖錠板を挿通するための孔を最小限にすることができる扉閉止具を提供することにある。
【０００５】
【課題を解決するための手段】
上記目的を達成するために、本発明の扉閉止具にあっては、箱体の開口部に取り付けられた扉を閉止、開放する扉閉止具において、前面側から背面側にわたって連通する収納部を形成し、扉を貫通した状態で取着されるケースと、このケースの収納部に配設され収納部の連通方向を中心軸として回動自在な操作体と、この操作体の回動操作に連動して突出、後退し扉を閉止、開放する鎖錠板とを備え、鎖錠板は、突出位置と、後退位置の間で直線方向にスライド自在に扉閉止具を構成する。
【０００６】
この扉閉止具によると、操作体の回動操作により鎖状板が直線方向にスライド移動するので、扉の側面に延出する側板を扉の表面側から折り曲げ形成した場合、鎖錠板が突出、後退するための鎖錠板挿通孔は、鎖錠板の縦断面に相当する形状を有しておれば足り、鎖錠板挿通孔を小さくすることができる。これにより、扉の鎖錠板挿通孔を形成したことによる剛性の低下を最小限にすることができる。さらに、鎖錠板に対応する位置に形成され、鎖錠板が挿通する箱体の閉止孔も小さくすることができる。
【０００７】
また、前記ケースに、収納部に連通し鎖錠板をスライド自在に保持する鎖錠板挿通口を形成するとともに、前記操作体の一部に係合歯を形成し、前記鎖錠板に、操作体の一部が挿通されるとともに前記係合歯が係合する係合受歯を有する操作体挿通孔を形成してもよい。
【０００８】
この扉閉止具にあっては、鎖錠板は、ケースの鎖錠板挿通口によって保持されるので、操作体を回動操作して、鎖錠板を突出、後退させる際、鎖錠板挿通口により鎖錠板をガイドした状態で行うことができる。
【０００９】
また、前記ケースに、操作体の背面側端部に係合するがたつき防止部を形成してもよい。
【００１０】
この扉閉止具にあっては、操作体の背面側の係合歯が鎖錠板の係合受歯から外れにくくなり、操作体と鎖錠板との係合を確実にすることができる。
【００１１】
また、前記係合歯の歯の数と、係合受歯の受歯の数とを同一にしてもよい。
【００１２】
この扉閉止具にあっては、係合歯の数と、係合受歯の数が同一であるので、どの係合歯がどの係合受歯に対応するか明確となり、鎖錠板の突出位置、後退位置における操作体の位置を均一にすることができ、常に操作体の回動量を一定にすることができる。
【００１３】
また、前記操作体の前面には、鎖錠板が突出位置にあるときに、操作体の回動操作を防止する鍵の施錠孔を有しかつ回動自在の施錠部を形成してもよい。
【００１４】
この扉閉止具にあっては、鍵の回動により施錠することで、操作体を固定することができる。
【００１５】
また、前記操作体は、収納部に配設されて鎖錠板を駆動する操作体本体と、この操作体本体の前面側に配設された施錠孔を有する前記施錠部と、この施錠部の施錠孔に対応して鍵が挿通される挿通孔を有し施錠部を操作体本体との間で回動自在に保持する前面カバーとを有し、前記挿通孔は、施錠部が施錠位置及び解錠位置にある状態で鍵の先端が挿通孔に挿通可能とする大径部と、施錠部が施錠位置及び解錠位置以外の位置にある状態で鍵の先端が挿通孔に挿通不可能とする小径部とを有する形状に形成されていることも好ましい。
【００１６】
この扉閉止具によると、鍵を施錠孔に差し込んで施錠または解錠操作する際に、施錠部が施錠位置及び解錠位置以外の位置にあるときは、施錠孔から鍵を抜くことができない。このため、鍵を操作するとき、施錠位置と解錠位置を明確に区別することができる。
【００１７】
また、前面カバーに識別孔を形成するとともに、前記施錠部に、識別孔に臨んで施錠部が施錠位置にあるときと解錠位置にあるときとを識別する識別表示を設けることも好ましい。
【００１８】
この扉閉止具によると、鍵の施錠位置及び解錠位置を容易に判別することができる。
【００１９】
【発明の実施の形態】
本発明の一実施の形態について、図１乃至１４に基づいて説明する。本実施の形態の扉閉止具１は、箱体６の開口部に取り付けられた扉２を閉止、開放するものであり、前面側から背面側にわたって連通する収納部Ｓを形成し、扉２を貫通した状態で取着されるケース７０と、このケース７０の収納部Ｓに配設され収納部Ｓの連通方向を中心軸として回動自在な操作体１０と、この操作体１０の回動操作に連動して突出、後退し扉２を閉止、開放する鎖錠板６１とを備え、鎖錠板６１は、突出位置と、後退位置の間で直線方向にスライド自在に構成してなるものである。
【００２０】
なお扉閉止具１は、例えば図５に示すような分電盤の扉２に取り付けられるものである。扉２は図５（ｂ）に示すように、表面が曲面を描くように形成されており、扉閉止具１は扉２の端部付近に取り付けられている。この扉２は、金属板を折り曲げて形成されており、図３に示すように、扉２の側板５も扉２の側面に延出するように金属板を折り曲げて形成されている。扉２の端部は箱体６の開口周縁部に被さるように取り付けられる。扉２の側板５および箱体６の開口周縁部には、鎖錠板６１が貫通する鎖錠板挿通孔３と閉止孔４とがそれぞれ設けられており、扉閉止具１の鎖錠板６１が突出した突出位置にある場合には、鎖錠板６１は、扉２の側板５を貫通すると共に、箱体６に形成された閉止孔４を貫通することにより扉２を閉止する。図２および図４に示すように、鎖錠板６１は直線方向にスライドするので、鎖錠板挿通孔３および、閉止孔４は、鎖錠板６１が横方向から貫通できるようにその縦断面と略同じ形状を有している。
【００２１】
扉閉止具１は、操作体１０と、操作体１０をその収納部Ｓに収納するケース７０とにより構成されている。操作体１０は、その回動操作により、鎖錠板６１を突出、後退させるものであり、その前面側端部が突出した操作位置と、操作体１０の略全体が、ケース７０内に収納された収納位置とを操作体１０の前面側端部を押し込むことにより切り替え自在となっている。この操作体１０は、操作体本体３０と、その前面側端部に取り付けられる前面カバー１１と、前面カバー１１の内部に設けられる施錠部２１とで構成されている。これらについて順に説明する。
【００２２】
操作体本体３０は、図６に示すように、外周に一対の耳片３５が形成されかつ上面に二重の円状壁３２が形成された操作体本体基部３１と、長手方向にのびる複数の係合歯４２が形成されかつ円筒状の操作体本体先端部４１とからなる。
【００２３】
操作体本体基部３１は、下面がくぼんだ円盤状であり、その外周には、その中心を挟んで対称の位置に、略長方形状に突出した耳片３５が外向きに形成されている。耳片３５は、ケース７０の収納部Ｓよりも外側に突出するように形成されている。
【００２４】
前記円盤状の操作体本体基部３１の外径は、収納部Ｓの内周壁７６の内径と略一致しており、操作体１０を押圧したとき、内周壁７６にガイドされて収納部Ｓ内をスライドする。操作体本体基部３１の上面には、図６に示すように、二重の円状壁３２が立設されており、外側の円状壁３２ａと内側の円状壁３２ｂの対応する位置には、切り欠き部３３が形成されている。内側の円状壁３２ｂには図９に示すように、施錠部２１の裏面に形成されたカム２５が挿入される。また、内側の円状壁３２ｂの上記切り欠き部３３の反対側には、略１８０度に亙って低高さ部３６が形成されている。
【００２５】
外側の円状壁３２ａの外側には、前面カバー１１が外嵌される。外側の円状壁３２ａには、二箇所に図８（ａ）に示すような、弾性係合片３４が形成されており、弾性係合片３４は、前面カバー１１の側面に形成された四角形の係合孔１７に係合する。これにより、前面カバー１１の操作体本体３０への取付が容易になると共に、前面カバー１１を確実に固定することができる。
【００２６】
操作体本体先端部４１は、図８に示すように、円筒状であり、その内部の入り口付近には操作体１０を、扉２の表面側に付勢するコイルバネ４６の一端が当接される段部４４が形成されている。また、その段部４４付近には、図８に示すような円柱状の係合突起４３が一対形成されている。さらに、円筒状の操作体本体先端部４１内部の底部には、その内部に挿入されるスピンドル５１の端部に圧接され、スピンドル５１を回転させる正面視略直角三角形の４つの駆動歯４５が設けられている。さらに、係合突起４３は、スピンドル５１表面に形成された被係合突部５３と係合し、操作体１０を収納部Ｓ内に保持するものである。また、操作体本体先端部４１表面の一側には、長手方向にのびる複数の係合歯４２が形成されている。
【００２７】
施錠部２１は、円盤状の前面板２２と、その裏面に形成されたカム２５と、前面板２２の表面に形成された鍵の先端が挿入される施錠孔２４とを有する。この前面板は、外側の円状壁３２ａの内側に回動自在に内挿され、同時に内側の円状壁３２ｂには図９に示すように、カム２５が挿入される。前記円状壁３２の切り欠き部３３には、カム２５に当接して出没する係止杆２９が配設される。また、係止杆２９が、図９に示すように背面側に配設され、係止杆２９の二股に分かれた先端の間には、バネ２７が配設されている。このバネ２７は、前面カバー１１と係止杆２９の基部間を押し広げるように設けられて、係止杆２９を没入方向に付勢している。
【００２８】
カム２５は、図９に示すような形状であり、施錠部２１が施錠位置にある状態では、図９（ａ）に示すように、カム２５が膨出した側に、係止杆２９の後端の当接突起２８が当接して係止杆２９が突出し、施錠部２１が解錠位置にある状態では、図９（ｂ）に示すように、カム２５が陥没した側に係止杆２９後端の当接突起２８が当接し、係止杆２９が没入する。このとき、係止杆２９は前記バネ２７で没入方向に付勢されているので、その付勢力により確実に係止杆２９を没入させることができ、また、当接突起２８の先端は、Ｕ字状に形成されているので、係止杆２９の出没をスムーズに行うことができる。
【００２９】
施錠部２１の前面板２２には、前面カバー１１の識別孔１２に臨む識別表示２３が形成されている。本実施の形態では、図６に斜線で示した位置に着色することでこれを構成している。施錠部２１が回動して解錠位置にあるときには、前記識別表示２３が前面カバー１１の識別孔１２から看取され、色を赤色などの注意を喚起する色にしておくことで、解錠位置にあることを明確にすることができる。施錠孔２４は、鍵の先端形状に対応する細長形状に形成されている。
【００３０】
操作体１０の前面側端部の前面カバー１１は、図６に示すように円筒キャップ状であり、その前面には、施錠部２１の施錠孔２４に対応し、鍵が挿通される挿通孔１４が形成され、挿通孔１４は、施錠部２１が施錠位置及び解錠位置にある状態で鍵の先端が挿通孔１４に挿通可能とする大径部１６と、施錠部２１が施錠位置及び解錠位置以外の位置にある状態で鍵の先端が挿通孔１４に挿通不可能とする小径部１５とを有する形状に形成されている。挿通孔１４の形状は、図１０に示す通りであり、施錠部２１が施錠位置あるいは１８０度回転させた解錠位置にあるときには、施錠孔２４全体が大径部１６内に位置して鍵の抜き差しが可能であり、施錠部２１が施錠位置から解錠位置に至る回動途上では、同図に破線で示すように、細長形状の施錠孔２４の一端が前記小径部１５に覆われる。このとき、鍵の一側面の小径部１５に対応する位置に、切れ込みを形成しておくことにより、鍵が施錠位置から解錠位置への回動途上にあるときには、切れ込みと小径部１５が係合して鍵の抜き取りが不可能となって、鍵の操作時に、施錠位置と解錠位置が明確となると共に、施錠、解錠を確実に行うことができる。
【００３１】
図１１に鍵１８の一例を示す。ここで、１９が切れ込みであり、切れ込み１９より先端側は、図示するように拡大し、施錠位置、解錠位置以外では、鍵１８の抜き差しができないようになっている。
【００３２】
施錠部２１の前面板２２の裏面には、図９に示すような角柱状の突起により構成されたストッパー２６が形成されており、このストッパー２６は、内側の円状壁３２ｂに形成された低高さ部３６上方を移動する。施錠部２１が、施錠位置、解錠位置にあるときには、標準高さに形成された内側の円状壁３２ｂの端面にストッパー２６が当接して、施錠位置、解錠位置を超えて施錠部２１が回動することを防止している。
【００３３】
前面カバー１１の前端側の側面は、図６に示すように、凹凸の略鋸刃状の滑り防止部１３が形成されている。これにより操作体１０を回動操作するときに滑りにくくなり、操作体１０の回動操作が容易となって、扉２の閉止、開放を容易に行うことができる。
【００３４】
また、前面カバー１１には円形の貫通孔からなる識別孔１２が形成されており、識別孔１２から前記識別表示２３を確認することができる。識別孔１２の形状及び、識別表示２３はこれに限定されず、例えば、識別表示２３として「施錠」、「解錠」等の文字を記載し、これを確認できるように角型の識別孔１２を形成しても良い。
【００３５】
前述のように、操作体本体先端部４１の内部には、図６に示すスピンドル５１と、コイルバネ４６が内挿される。コイルバネ４６は、操作体本体先端部４１の内径と略同じ外径を有しており、操作体１０が操作状態にあるときは、コイルバネ４６は、一端を操作体本体先端部４１内部の段部４４に当接し、他端をケース７０の底部８３に当接することにより、操作体１０を突出方向に付勢している。また、操作体１０が収納状態にあるとき、コイルバネ４６は、操作体１０の段部４４に圧縮された状態で保持される。
【００３６】
スピンドル５１は、ケース７０の底部８３に形成された円形の嵌合孔８９に、尖塔状の先端部を嵌合して固定されている。前記スピンドル５１表面の被係合突部５３，５３間の外径と、円筒状の操作体本体先端部４１の段部４４より底側の内径は略一致しており、スピンドル５１を操作体１０の内部に挿入することにより、操作体１０はスピンドル５１に保持されてがたつかなくなる。このときスピンドル５１は、操作体１０のがたつきを防止するがたつき防止部として作用する。
【００３７】
スピンドル５１の端部には、操作体１０内部の駆動歯４５が圧接される駆動斜面５２が形成されている。操作体１０を背面方向に押圧すると、駆動歯４５が駆動斜面５２に圧接され、駆動歯４５先端が、駆動斜面５２上をスライドし、スピンドル５１は回転する。
【００３８】
鎖錠板６１は、平面視長方形の外形を有し、ケース７０に設けられた、鎖錠板挿通口８８に挿通される。また、鎖錠板６１には、中央部に操作体挿通孔６３が形成され、操作体本体先端部４１が貫通している。操作体挿通孔６３は図６に示すように、長孔状に形成されており、操作体挿通孔６３の一側には、操作体１０の係合歯４２に係合する係合受歯６２が形成されている。操作体挿通孔６３の短手方向の幅は、操作体本体先端部４１の外径と略一致しており、操作体本体先端部４１の係合歯４２と係合受歯６２が離間することが無く、これらの係合が確実である。
【００３９】
操作体１０を回動することにより、係合歯４２に係合した係合受歯６２が駆動されて、鎖錠板６１が突出位置、後退位置間を直線方向にスライドするが、この係合歯４２と係合受歯６２は同じ枚数となっており、それぞれの端部に位置する係合歯４２と係合受歯６２とが係合するように組み立てることで、鎖錠板６１が突出位置または後退位置にある場合の、操作体１０の位置を一定にすることができる。鎖錠板６１の一端は、突出位置で、箱体６の閉止孔４を貫通するが、その際スムーズに貫通できるよう端部にテーパー６４が形成されている。
【００４０】
ケース７０は、ケース本体７１と蓋体９１により構成されている。ここで、ケース本体７１は、その前面側から背面側に向かって連通する収納部Ｓの背面側を形成するとともに、この収納部Ｓの周囲に引掛部８４を形成し、扉２に形成された貫通孔７に収納部Ｓの前面側及び引掛部８４を位置させた状態で扉２の裏面側に配設されるものである。一方、蓋体９１は、収納部Ｓの前面側を形成するとともに、扉２の貫通孔７の周囲に係合する縁部９２および扉２の表面側からケース本体７１の引掛部８４に引掛けられる被引掛部９４を有し、操作体１０を抜け止めした状態でケース本体７１に取着されるものである。
【００４１】
ケース本体７１は、図１２に示すように、有底円筒状のケース本体下端部８７と、ケース本体下端部８７の上側に位置し、前記鎖錠板６１が貫通する鎖錠板挿通口８８の周囲を形成する鎖錠板挿通口形成部８２と、鎖錠板挿通口形成部８２の上側に位置する環状の内周壁７６、およびその外側に位置し引掛部８４を形成する環状の取付壁８０とで構成されている。内周壁７６およびケース本体下端部８７により、操作体１０が収納される収納部Ｓの背面側が形成されている。
【００４２】
有底円筒状のケース本体下端部８７には、その底に台座８５が形成され、その中央に嵌合孔８９が形成されている。台座８５の嵌合孔８９には、前記スピンドル５１の尖塔状の先端部が嵌合され、スピンドル５１を保持する。
【００４３】
ケース本体下端部８７と鎖錠板挿通口形成部８２間には、図１２（ｂ）に図示するような補強リブ８６が形成されている。鎖錠板挿通口形成部８２は、図１２（ａ）に示すように平面視略長方形であり、それを貫通するように、図１２（ｃ）に示す断面形状の鎖錠板挿通口８８が形成されている。鎖錠板６１はこの鎖錠板挿通口８８を貫通するように配設されて、鎖錠板挿通口形成部８２に保持され、直線方向にスライド自在となる。
【００４４】
上記の内周壁７６は、一部が切り欠かれた円環状であり、前記内周壁７６の先端には、鎖錠板６１が突出位置、後退位置それぞれにあるときに、耳片３５が当接して操作体１０の回動を阻止する回動阻止部７３が形成されている。また、鎖錠板６１が突出位置にある状態で耳片３５が当接する一方の回動阻止部７３ａに、操作体１０を突出、後退させる際に耳片３５をガイドするガイド溝の一方側７９ａが連設されると共に、鎖錠板６１が後退位置にある状態で耳片３５が当接する他方の回動阻止部７３ｂから前記ガイド溝の他方側７９ｂにかけて、耳片３５をガイドして操作体１０を突出位置で保持する回動ガイド壁７７が形成されている。
【００４５】
また、回動阻止部７３には、施錠部２１の係止杆２９が挿入される一対の固定孔７４が形成されている。固定孔７４の上端は開放しているが、蓋体９１を取り付けることにより閉鎖される。係止杆２９が突出して、固定孔７４に挿入された施錠位置においては、係止杆２９と固定孔７４が係合して、収納位置にある操作体１０の回動および突出を防止することができる。
【００４６】
取付壁８０は、前述のように内周壁７６の外側を囲むように円環状に形成されている。取付壁８０には、角孔で形成された引掛部８４が形成されている。引掛部８４には、後述の蓋体９１の被引掛部９４が係合する。また、取付壁８０には四箇所に凹部８１が形成されており、蓋体９１の裏面側の対応する位置に配設された凸部９３が嵌合される。
【００４７】
蓋体９１は、図１３に示すように蓋体９１の前面側を形成する蓋体本体９５と、扉２の貫通孔７に貫通される縁部９２と、前記ケース本体７１の引掛部８４に係合する被引掛部９４により構成されている。
【００４８】
蓋体本体９５は、その前面外側が、扉２の表面側に徐々に傾斜している。これにより、操作体１０を回動操作するときに、蓋体９１に指が触れにくくなり、操作体１０の回動操作が容易となる。蓋体本体９５の内部には、段９６を有する貫通孔が形成され、収納部Ｓの表面側を形成している。この段９６にはケース本体７１の内周壁７６の先端が当接される。
【００４９】
蓋体９１の裏面には環状の縁部９２が形成されているが、その一部は切り欠かれ、そこには先端が楔状の被引掛部９４が形成されている。縁部９２は、組み立て状態において、内周壁７６の外側に外嵌される。また、縁部９２の先端部は、前記回動ガイド壁７７の先端との間に、耳片３５を保持する。このとき、縁部９２と回動ガイド壁７７との間には、耳片３５が自由に摺動できる程度の隙間が形成されており、操作体１０を回動させたときには、その隙間を耳片３５が摺動する。これにより、操作体１０の回動をスムーズに行うことができる。
【００５０】
蓋体９１は、被引掛部９４が、ケース本体７１の引掛部８４に係合してケース本体７１と一体化される。また、扉２の貫通孔にも、被引掛部９４に対応する位置に、コ字型の切れ込み８が形成されている。さらに、蓋体９１の裏面には四箇所に前記ケース本体７１の凹部８１に嵌合する凸部９３が形成されている。凸部９３は前記凹部８１に嵌合されると共に、扉２の貫通孔の周囲に形成された窪み部９に挿入される。これにより、蓋体９１およびケース本体７１が扉２に対して、回動することを防止することができ、また本扉閉止具１の取り付け方向を一定にすることができる。
【００５１】
この扉閉止具１の組み立て手順について説明する。まず、ケース本体７１の、鎖錠板挿通口８８に横方向から鎖錠板６１を挿入する。次に、スピンドル５１とコイルバネ４６をケース本体７１の内部に配設する。続いてあらかじめ施錠部２１、バネ２７、係止杆２９を前面カバー１１内に配設した操作体１０を、ケース本体７１の内部に配設する。このとき、スピンドル５１は操作体１０の円筒状の操作体本体先端部４１内に挿入され、操作体１０先端はこれにより軸支され、がたつきを防止することができる。また、操作体１０を挿入する際には、操作体１０に形成された係合歯４２と、鎖錠板６１の係合受歯６２を係合させる。そして、このケース本体７１と操作体１０を扉２に裏面側から当接する。続いて扉２の表面側から蓋体９１を装着して扉閉止具１の取付が終了する。この蓋体９１の取り付けに際しては、蓋体９１の被引掛部９４を、ケース本体７１の引掛部８４に係合するのみで作業が終了するので、その取付作業が容易である。
【００５２】
次に、操作体１０の動きを、耳片３５の動きを中心に図１を用いて説明する。操作体１０が、収納部Ｓ内に位置する収納状態にあるときには、耳片３５はガイド溝７９内かつこの図において下方に位置している。このとき操作体１０に係合した鎖錠板６１は、突出位置に位置して、扉２は閉止されている。操作体１０を押圧すると、スピンドル５１が回転し、スピンドル５１に係止されていた操作体１０が開放されて、圧縮されていたコイルバネ４６により操作体１０が押し出されるが、そのとき耳片３５は、ガイド溝７９内を一旦下方に進んだ後、表面側にスライドする。図１はそのときの状態を示している。このとき、耳片３５の一方の側面は、一方の回動阻止部７３ａに当接しており、操作体１０は時計まわりにのみ回動可能である。操作体１０を時計まわりに回動させると、耳片３５は、回動ガイド壁７７の上端面に沿ってスライドし、他方の回動阻止部７３ｂに当接する。このとき、操作体１０の係合歯４２に係合した鎖錠板６１は、後退位置に駆動されており（図２（ｂ））、扉２は開放状態となる。また、その操作においては、耳片３５が収納部Ｓの内壁より外側に突出しており、回動ガイド壁７７に当接するので、不意に操作体１０が没入方向に移動することがなく、その操作が容易である。
【００５３】
本実施の形態の操作体１０は、操作体１０の前面側端部を前面を押し込む毎に、前面が収納部から突出した操作位置または収納部内に収納された収納位置に保持されるものであるが、その切り替えは、操作体本体先端部４１内部の係合突起４３と、スピンドル５１表面の被係合突部５３とが係合、非係合状態となることにより行われる。その動きについて、図１４に基づき説明する。
【００５４】
図１４（ａ）乃至（ｃ）は、操作体１０が収納状態から、操作状態に移動する際の、係合突起の端面４３ａと、スピンドル５１の被係合突部５３の位置関係を示している。図１４（ａ）は操作体１０が収納位置にあるときの、係合突起の端面４３ａの位置を示しており、係合突起４３は、被係合突部５３の係止段５４に係合し（位置Ａ（各図中の記号を示す。以下同じ））、操作体１０は突出方向の動きを規制される。このとき、コイルバネ４６は操作体１０の段部４４に圧縮された状態にある。図１４（ｂ）に示すように、収納位置にある操作体１０をさらに押圧すると、係合突起の端面４３ａはさらに下方にスライドし（位置Ｂ）、また、駆動歯４５が駆動斜面５２に圧接してスピンドル５１が回転し、相対的に係合突起の端面４３ａはこの図において右方向に移動する（位置Ｃ）。ここで、操作体１０の押圧を開放すると、図１４（ｃ）に示すように、コイルバネ４６はその付勢力により、操作体１０を上方に押し戻す。そのとき、係合突起４３は被係合突部５３の傾斜面５６に当接し（位置Ｄ）、傾斜面５６上をスライドし、スピンドル５１を若干回転させながら被係合突部５３，５３間を通って、コイルバネ４６が略開放される位置Ｅに至る。このとき、操作体１０は、操作位置に位置しており、操作体１０の回動操作が可能である。その状態を図７（ｂ）に示す。
【００５５】
図１４（ｃ）乃至（ｅ）は、操作体１０が操作状態から、収納状態に移動する際の、係合突起の端面４３ａとスピンドル５１の被係合突部５３の位置関係を示している。図１４（ｃ）の、操作体１０が突出した操作状態から、操作体１０を押圧すると係合突起の端面４３ａは、図１４（ｄ）に示すように、下側にスライドする（位置Ｆ）。さらに、操作体１０を押圧すると、駆動歯４５が駆動斜面５２に当接し、スピンドル５１が回転して、係合突起の端面４３ａは、図において右方向に移動する（位置Ｇ）。ここで、操作体１０の押圧を開放すると、コイルバネ４６の付勢力により、操作体１０が上方に押し戻されると共に、係合突起４３は、被係合突部５３の傾斜した案内面５５に当接し（位置Ｈ）、その上をスライドして、スピンドル５１を若干回転させながら、位置Ｉ（位置Ａ）に至る。この状態では、操作体１０は収納位置に位置する。その状態を図７（ａ）に示す。
【００５６】
スピンドル５１と、操作体１０の係合突起４３はこのように作動するので、操作体１０の前面側端部を押し込むだけの簡単な操作で、操作体１０が収納部Ｓから突出した操作位置と、収納部Ｓ内に位置する収納位置とを切りかえることができる。
【００５７】
本実施の形態の扉閉止具１は、操作体１０の前端部を形成する前面カバー１１が、略円筒状であり、また、操作体１０は、収納部Ｓの中心に設けられたスピンドル５１の中心線と中心を同じくして回動する。これにより、図２に示すように、操作体１０の回動操作は、扉閉止具１の収納部Ｓ前面面積内で行うことができる。したがって、操作体１０の回動操作においては、収納部Ｓの前面面積と、その周囲の小さい面積において操作が可能である。その結果、扉２の操作体１０の比較的近傍にも他の機器を配設することができ、また、それにより扉２を小さくすることができて、箱体６そのものを小型化することに寄与しうる。尚、操作体１０の前面カバー１１は、円筒状に形成したが、例えば六角形や、八角形等の多角形であっても良い。
【００５８】
本実施の形態の、扉閉止具１においては、図２に示すように、鎖錠板６１が直線方向にのみスライドして、扉２を閉止、開放することができるので、扉２の側板５に形成する鎖錠板挿通孔３および箱体に形成する閉止孔４は、鎖錠板６１の短手方向の断面に相当する大きさを有しておれば足りる。これにより、鎖錠板挿通孔３および閉止孔４の大きさ、特にその長さを小さくすることができ、これらを形成したことによる剛性の低下、その付近の外力による変形などを最小限にすることができる。
【００５９】
【発明の効果】
本発明は以上のとおりであり、請求項１記載の発明によると、操作体の回動操作により鎖状板が直線方向にスライド移動するので、扉の側面に延出する側板を扉の表面側から折り曲げ形成した場合、鎖錠板が突出、後退するための鎖錠板挿通孔は、鎖錠板の縦断面に相当する面積を有しておれば足り、鎖錠板挿通孔を小さくすることができる。これにより、扉の鎖錠板挿通孔を形成したことによる剛性の低下を最小限にすることができる。さらに、鎖錠板に対応する位置に形成され、鎖錠板が挿通する箱体の閉止孔の面積も小さくすることができる。特に、操作体は、収納部に配設されて鎖錠板を駆動する操作体本体と、この操作体本体の前面側に配設されて鎖錠板が突出位置にあるときに操作体の回動操作を防止する鍵の施錠孔を有した施錠部と、この施錠部の施錠孔に対応して鍵が挿通される挿通孔を有し施錠部を操作体本体との間で回動自在に保持する前面カバーとを有し、前記挿通孔は、施錠部が施錠位置及び解錠位置にある状態で鍵の先端が挿通孔に挿通可能とする大径部と、施錠部が施錠位置及び解錠位置以外の位置にある状態で鍵の先端が挿通孔に挿通不可能とする小径部とを有する形状に形成されているので、不必要な操作体の回動操作を防止することができるとともに施錠部の施錠および解錠を確実に行うことができる。
【００６０】
請求項２記載の発明によると、鎖錠板の突出、後退をスムーズに行うことができる。
【００６１】
請求項３記載の発明によると、操作体の背面側の係合歯が鎖錠板の被係合歯から外れにくくなり、操作体と鎖錠板との係合を確実にすることができる。
【００６２】
請求項４記載の発明によると、係合歯の数と、係合受歯の数が同一であるので、どの係合歯がどの係合受歯に対応するか明確となり、鎖錠板の突出位置、後退位置における操作体の位置を均一にすることができ、常に操作体の回動量を一定にすることができる。
【００６３】
請求項５記載の発明によると、鍵の施錠位置及び解錠位置を容易に判別することができる。
【図面の簡単な説明】
【図１】本発明の一実施形態の扉閉止具を示す、一部を省略した斜視図である。
【図２】同扉閉止具を示す平面図であり、（ａ）は鎖錠板が突出位置にある場合、（ｂ）は鎖錠板が後退位置にある場合である。
【図３】同扉閉止具により扉を閉止した状態を示す水平断面図である。
【図４】同扉閉止具を扉に取り付けた状態を示す斜視図である。
【図５】同扉閉止具により扉を閉止した状態を示す水平断面図である。
【図６】同扉閉止具を示す分解斜視図である。
【図７】同扉閉止具を示す縦断面図であり、（ａ）は操作体が収納位置にある場合、（ｂ）は操作体が操作位置にある場合である。
【図８】同扉閉止具の操作体本体を示す、（ａ）は縦断面図、（ｂ）は底面図である。
【図９】同扉閉止具の施錠部に設けられたカムの動きを示す、（ａ）は施錠部が施錠位置にある場合、（ｂ）は施錠部が解錠位置にある場合である。
【図１０】同扉閉止具の施錠孔の回動状態を示す平面図である。
【図１１】同扉閉止具の施錠に用いる鍵の一例を示す正面図である。
【図１２】同扉閉止具のケース本体を示す、（ａ）は平面図、（ｂ）は縦断面図、（ｃ）は一部を切り欠いた正面図である。
【図１３】同扉閉止具の蓋体を示す、（ａ）は一部を切り欠いた正面図、（ｂ）は底面図である。
【図１４】スピンドルが回転する各過程における、スピンドルの被係合突部と、操作体の係合突起の端面の位置関係を示す展開図である。
【図１５】従来の扉閉止具を示す斜視図である。
【符号の説明】
１    扉閉止具
２    扉
１０  操作体
１１  前面カバー
１２  識別孔
１４  挿通孔
１５  小径部
１６  大径部
２１  施錠部
２３  識別表示
２４  施錠孔
３０  操作体本体
４２  係合歯
６１  鎖錠板
６２  係合受歯
６３  操作体挿通孔
７０  ケース
８８  鎖錠板挿通口
９１  蓋体
Ｓ    収納部
【図１】
0003705027.tif 000002
【図２】
0003705027.tif 000003
【図３】
0003705027.tif 000004
【図４】
0003705027.tif 000005
【図５】
0003705027.tif 000006
【図６】
0003705027.tif 000007
【図７】
0003705027.tif 000008
【図８】
0003705027.tif 000009
【図９】
0003705027.tif 000010
【図１０】
0003705027.tif 000011
【図１１】
0003705027.tif 000012
【図１２】
0003705027.tif 000013
【図１３】
0003705027.tif 000014
【図１４】
0003705027.tif 000015
【図１５】
0003705027.tif 000016